(57)【特許請求の範囲】
【請求項１】
底壁を有する絶縁基体と、前記底壁の一面から上方に突出した状態で前記底壁に取り付けられた少なくとも2個の固定接点と、この固定接点に接離可能な可動接点と、この可動接点を操作するための直線移動可能な操作部材とを備え、前記可動接点は、バネ性ある金属板が折り曲げられて形成され、開放部を設けて互いに対向して配置された第1，第2の基部と、互いに間隔を置いて配置され、前記第1，第2の基部を連結する第1，第2の連結部と、この第１，第2の連結部間に位置した状態で、互いに対向するように前記第1，第2の基部から突出して設けられた少なくとも2個の第1，第2の接触部とを備え、前記可動接点は、前記第1，第2の連結部が、互いに間隔を置いて独立状態でそれぞれU字状に折り曲げられて形成されると共に、前記第1，第2の連結部間に画成される孔内には、U字状の前記第1，第2の連結部にて上部が連結された前記第1，第2の基部から上方に突出して設けられた前記第1，第2の接触部が配置され、前記第1，第2の基部が、前記第1，第2の接触部及びU字状の前記第1，第2の連結部の頂部よりも前記庭壁に近い位置に配置されており、前記固定接点は、前記絶縁基体の前記底壁から前記可動接点の前記第1，第2の基部間に位置する前記開放部を通って前記第1，第2の接触部に至るように延設されており、直線移動可能に保持された前記操作部材の回動操作に伴って、前記可動接点の第1，第2の接触部を突出させている前記第1，第2の基部間の前記開放部側から前記固定接点が、前記第1，第2の連結部の頂部側に位置する前記第1，第2の接触部に至るように、前記可動接点から前記固定接点の延びる方向に移動して、前記第1，第2の接触部を介して2個の前記固定接点間をＯＮ、ＯＦＦするようにしたことを特徴とするプッシュ型スイッチ。
【請求項２】
前記操作部材には、前記可動接点を掛け止めするための係止部が設けられ、前記可動接点が前記係止部に掛け止めされて、前記操作部材に取り付けられたことを特徴とする請求項1 記載のプッシュ型スイッチ。
【請求項３】
前記操作部材は、移動方向に対して直交する方向に延びる複数個の前記係止部を有し、前記基部の両辺部が複数個の前記係止部によって挟持されて、前記可動接点が前記操作部材に取り付けられたことを特徴とする請求項2記載のプッシュ型スイッチ。
【請求項４】
前記操作部材には、捻りコイルバネからなる付勢部材を収納するための収納部が設けられ、この収納部に収納された前記捻りコイルバネの一端側が前記底壁に弾接すると共に、前記捻りコイルバネの他端側が前記操作部材に弾接したことを特徴とする請求項2、又は3記載のプッシュ型スイッチ。
【請求項５】
前記操作部材は操作部を有し、前記係止部と前記収納部とが前記操作部を挟んで対向する位置に配置されたことを特徴とする請求項4記載のプッシュ型スイッチ。
【請求項６】
2個の前記第1，第2の接触部のそれぞれが2個の前記固定接点に接離して、2個の前記固定接点間をＯＮ、ＯＦＦするようにしたことを特徴とする請求項1から5のいずれかに記載のプッシュ型スイッチ。
【請求項７】
2個の内の一方の前記第1，第2の接触部が2個の内の一方の前記固定接点に常時接触した状態で、2個の内の他方の前記第1，第2の接触部が2個の内の他方の前記固定接点に接離して、2個の前記固定接点間をＯＮ、ＯＦＦするようにしたことを特徴とする請求項1から5のいずれかに記載のプッシュ型スイッチ。
【発明の詳細な説明】
【０００１】
【発明の属する技術分野】
本発明は携帯電話機等の電気機器に使用して好適なプッシュ型スイッチに関する。
【０００２】
【従来の技術】
従来のプッシュ型スイッチの図面を説明すると、図７は従来のプッシュ型スイッチの要部断面図、図８は従来のプッシュ型スイッチの動作を示す断面図、図９は図８の９−９線における断面図である。
【０００３】
次に、従来のプッシュ型スイッチの構成を図７〜図９に基づいて説明すると、絶縁基体５１の底壁５１ａには、金属板からなる２個の固定接点５２が取り付けられると共に、固定接点５２の接点部５２ａが底壁５１ａの一面から上方に突出して配置されている。
【０００４】
金属板が折り曲げられて形成されたカバー５３は、直方体状の箱形をなし、四角状の上面板５３ａと、上面板５３ａの４辺から下方に折り曲げられた４つの側面板５３ｂと、一つの側面板５３ｂに形成された矩形状の孔５３ｃと、側面板５３ｂの下端部に設けられた複数の爪部５３ｄとを有する。
【０００５】
そして、このカバー５３の下部には、下部の開放部を塞ぐように絶縁基体５１が配置され、爪部５３ｄが折り曲げされて、絶縁基体５１がカバー５３に取り付けられている。
【０００６】
絶縁材からなるスライド体５４は、上部に設けられた凸部５４ａと、下部に設けられた収納部５４ｂとを有し、このスライド体５４は、絶縁基体５１上に載置された状態で、カバー５３内に収納されて、横方向に移動可能となっている。
【０００７】
バネ性のある金属板が折り曲げられて形成された可動接点５５は、平板状の基部５５ａと、この基部５５ａの両側部から互いに対向して下方に折り曲げ形成されて、クリップ状をなした２個の第１，第２の接触部５５ｂ、５５ｃとを有する。
【０００８】
この可動接点５５は、基部５５ａを上方にした状態で、スライド体５４の収納部５４ｂに収納され、スライド体５４によって横方向、即ち、固定接点５２の延びる方向に対して直交する方に可動されるようになっている。
【０００９】
そして、可動接点５５は、図７に示すように、２個の第１，第２の接触部５５ｂ、５５ｃが２個の固定接点５２に接触していないＯＦＦ状態から、図８に示すように、２個の第１，第２の接触部５５ｂ、５５ｃが２個の固定接点５２に接触したＯＮ状態の時、第１，第２の接触部５５ｂ、５５ｃは、第１，第２の接触部５５ｂ、５５ｃの延びる方向に対して直交する方向に移動し、固定接点５２の接点部５２ａを挟持して、接点部５２ａに接触するようになっている。
【００１０】
即ち、可動接点５５は、第１，第２の接触部５５ｂ、５５ｃが基部５５ａよりも底壁５１ａに近い位置に配置され、固定接点５２が第１，第２の接触部５５ｂ、５５ｃに至るように延びた状態となっている。
【００１１】
絶縁材の成型品で形成された操作部材５６は、凹部５６ａを有する本体部５６ｂと、この本体部５６ｂから前方に延びる棒状の操作部５６ｃとを有し、この操作部材５６は、本体部５６ｂがカバー５３内に収納された状態で、操作部５６ｃが孔５３ｃから外方に突出すると共に、凹部５６ａには、スライド体５４の凸部５４ａが嵌合されている。
【００１２】
そして、操作部材５６は直線移動可能に保持されており、操作部材５６が操作された際、スライド体５４と共に可動接点５５が可動して、接点の切換を行うようになっている。
【００１３】
また、コイルバネ５７は、操作部５６ｃに挿入された状態で、操作部材５６に取り付けられた止め板５８と、カバー５３の側面板５３ｂとの間に介在され、操作部材５６を復帰されるためのものである。
【００１４】
次に、このような一回路切換の構成を有する従来のプッシュ型スイッチの動作を説明すると、操作部材５６の未作動時においては、図７に示すように、可動接点５５が２個の固定接点５２から離れて、２個の固定接点５２間がＯＦＦの状態となっている。
【００１５】
この状態で、操作部５６ｃをコイルバネ５７に抗して押圧し、操作部材５６を直線移動させると、図８，図９に示すように、スライド体５４が操作部材５６によって、固定接点５２の延びる方向に対して直交する方向に可動されると共に、可動接点５５も同方向に可動し、その結果、可動接点５５の２個の第１，第２の接触部５５ｂ、５５ｃがそれぞれ２個の固定接点５２に接触して、固定接点５２間がＯＮ状態となる。
【００１６】
次に、図８の状態で、操作部５６ｃの押圧を解除すると、操作部材５６はコイルバネ５７によって押し戻されて、図７の状態に復帰する。
その間において、図７に示すように、スライド体５４と可動接点５５が固定接点５２の延びる方向に対して直交する方向に可動されて、その結果、可動接点５５の２個の第１，第２の接触部５５ｂ、５５ｃは、２個の固定接点５２から離れて非接触状態となって、固定接点５２間がＯＦＦ状態となる。
このようにしてプッシュ型スイッチの操作が行われる。
【0017】
【発明が解決しようとする課題】
従来のプッシュ型スイッチは、スライド体５４と可動接点５５が固定接点５２の延びる方向に対して直交する方向に可動されるため、操作部材５６の移動方向に大型になるという問題がある。
また、スライド体５４を必要とし、部品点数が多くなって、コスト高で、生産性が悪くなるという問題がある。
また、スイッチのＯＦＦ時、可動接点５５の第１，第２の接触部５５ｂ、５５ｃが２個の固定接点５２間に位置した状態となって、可動接点５５と固定接点５２との間の間隔が小さくなり、耐電圧が低くなるという問題がある。
また、可動接点５５の第１，第２の接触部５５ｂ、５５ｃは、その延びる方向に対して直交する方向に移動して、固定接点５２を挟持するため、固定接点５２への第１，第２の接触部５５ｂ、５５ｃの挟持がスムースにできず、第１，第２の接触部５５ｂ、５５ｃが変形するという問題がある。
また、操作部材５６は、コイルバネ５７でカバー５３に取り付けられるため、積み重ね方式による組立ができず、組立性が悪くなるという問題がある。
【００１８】
そこで、本発明は操作部材の移動方向が小型で、安価で生産性の良好なプッシュ型スイッチを提供することを目的とする。
【0019】
【課題を解決するための手段】
上記課題を解決するための第1の解決手段として、底壁を有する絶縁基体と、前記底壁の一面から上方に突出した状態で前記底壁に取り付けられた少なくとも2個の固定接点と、この固定接点に接離可能な可動接点と、この可動接点を操作するための直線移動可能な操作部材とを備え、前記可動接点は、バネ性ある金属板が折り曲げられて形成され、開放部を設けて互いに対向して配置された第1，第2の基部と、互いに間隔を置いて配置され、前記第1，第2の基部を連結する第1，第2の連結部と、この第１，第2の連結部間に位置した状態で、互いに対向するように前記第1，第2の基部から突出して設けられた少なくとも2個の第1，第2の接触部とを備え、前記可動接点は、前記第1，第2の連結部が、互いに間隔を置いて独立状態でそれぞれU字状に折り曲げられて形成されると共に、前記第1，第2の連結部間に画成される孔内には、U字状の前記第1，第2の連結部にて上部が連結された前記第1，第2の基部から上方に突出して設けられた前記第1，第2の接触部が配置され、前記第1，第2の基部が、前記第1，第2の接触部及びU字状の前記第1，第2の連結部の頂部よりも前記庭壁に近い位置に配置されており、前記固定接点は、前記絶縁基体の前記底壁から前記可動接点の前記第1，第2の基部間に位置する前記開放部を通って前記第1，第2の接触部に至るように延設されており、直線移動可能に保持された前記操作部材の回動操作に伴って、前記可動接点の第1，第2の接触部を突出させている前記第1，第2の基部間の前記開放部側から前記固定接点が、前記第1，第2の連結部の頂部側に位置する前記第1，第2の接触部に至るように、前記可動接点から前記固定接点の延びる方向に移動して、前記第1，第2の接触部を介して2個の前記固定接点間をＯＮ、ＯＦＦするようにした構成とした。
【００２１】
また、第2の解決手段として、前記操作部材には、前記可動接点を掛け止めするための係止部が設けられ、前記可動接点が前記係止部に掛け止めされて、前記操作部材に取り付けられた構成とした。
また、第3の解決手段として、前記操作部材は、移動方向に対して直交する方向に延びる複数個の前記係止部を有し、前記基部の両辺部が複数個の前記係止部によって挟持されて、前記可動接点が前記操作部材に取り付けられた構成とした。
【００２２】
また、第4の解決手段として、前記操作部材には、捻りコイルバネからなる付勢部材を収納するための収納部が設けられ、この収納部に収納された前記捻りコイルバネの一端側が前記底壁に弾接すると共に、前記捻りコイルバネの他端側が前記操作部材に弾接した構成とした。
また、第5の解決手段として、前記操作部材は操作部を有し、前記係止部と前記収納部とが前記操作部を挟んで対向する位置に配置された構成とした。
また、第6の解決手段として、2個の前記第1，第2の接触部のそれぞれが2個の前記固定接点に接離して、2個の前記固定接点間をＯＮ、ＯＦＦするようにした構成とした。
また、第7の解決手段として、2個の内の一方の前記第1，第2の接触部が2個の内の一方の前記固定接点に常時接触した状態で、2個の内の他方の前記第1，第2の接触部が2個の内の他方の前記固定接点に接離して、2個の前記固定接点間をＯＮ、ＯＦＦするようにした構成とした。
【0023】
【発明の実施の形態】
本発明のプッシュ型スイッチの図面を説明すると、図１は本発明のプッシュ型スイッチに係り、絶縁基体を切り欠きした状態を示す分解斜視図、図２は本発明のプッシュ型スイッチに係り、カバーの上面板を取り去った状態を示す平面図、図３は本発明のプッシュ型スイッチに係り、可動接点と付勢部材の取付状態を示す要部断面図、図４は本発明のプッシュ型スイッチに係り、操作部材の未操作状態を示す動作説明図、図５は本発明のプッシュ型スイッチに係り、操作部材を操作した状態を示す動作説明図、図６は本発明のプッシュ型スイッチの参考例に係り、可動接点の斜視図である。
【００２４】
次に、本発明のプッシュ型スイッチの構成を図１〜図５に基づいて説明すると、絶縁材の成型品からなる箱形をなした絶縁基体１は、矩形状の底壁１ａと、この底壁１ａの３つの辺から上方に延びる３つの側壁１ｂと、対向する一対の側壁１ｂの内面に対向して設けられたレール部１ｃと、対向する側壁１ｂの外周面に設けられた楔状の複数個の掛け止め部１ｄとを有する。
【００２５】
金属板からなる２個の固定接点２は、底壁１ａに埋設して取り付けられ、底壁１ａの一面（上面）から上方に突出して延びる接点部２ａと、側壁１ｂから外方に突出して延びる端子部２ｂとを有する。
【００２６】
金属板が折り曲げられて形成されたカバー３は、四角形状の上面板３ａと、上面板３ａの４辺から下方に折り曲げられた４つの側面板３ｂと、上面板３ａに形成された丸型の孔３ｃと、対向する側面板３ｂの下端部から横方向に突出する係止片３ｄとを有する。
【００２７】
そして、このカバー３は、上面板３ａで絶縁基体１の上方開口部を覆うように、絶縁基体１の上方から被せながら、側面板３ｂを側壁１ｂの外周面に沿って下方に押し込むと、係止片３ｄが楔状の掛け止め部１ｄを乗り越えて、係止片３ｄが掛け止め部１ｄの下端部に掛け止めされて、カバー３が絶縁基体１に取り付けられる。
このカバー３が取り付けられた際、１つの側面板３ｂが絶縁基体１の側壁１ｂの存在しない箇所を覆うようになっている。
【００２８】
絶縁材の成型品で形成された操作部材４は、本体部４ａと、本体部４ａの上部から上方に突出する円柱状の操作部４ｂと、本体部４ａの対向する側面に設けられた凹状のガイド溝部４ｃと、本体部４ａの側面から操作部４ｂの延びる方向に対して直交する方向に突出した複数個の係止部４ｄと、操作部４ｂを挟んで係止部４ｄと対向した状態で、本体部４ａの下部に設けられた収納部４ｅとを有する。
【００２９】
そして、操作部材４は、本体部４ａがカバー３内に収納され、操作部４ｂが孔３ｃから外方に突出すると共に、ガイド溝部４ｃ内にレール部１ｃが嵌合し、レール部１ｃをガイドにして、操作部材４が直線移動可能に取り付けられている。
【００３０】
バネ性ある金属板がＵ字状に折り曲げられて形成された可動接点５は、開放部５ａを設けて互いに対向して配置された帯状の第１，第２の基部５ｂ、５ｃと、互いに間隔を置いて配置され、第１，第２の基部５ｂ、５ｃを連結するＵ字状の第１，第２の連結部５ｄ、５ｅと、この第１，第２の連結部５ｄ、５ｅ間に設けられた孔５ｆと、第１，第２の連結部５ｄ、５ｅ間の孔５ｆ内に位置した状態で、互いに対向するように第１，第２の基部５ｂ、５ｃから突出して設けられたクリップ状の少なくとも２個の第１，第２の接触部５ｇ、５ｈとを有する。
【００３１】
そして、この可動接点５は、第１，第２の接触部５ｇ、５ｈ側を上方にして、操作部材４の複数個の係止部４ｄ間に掛け止めされて、操作部材４に取り付けられる。
【００３２】
また、可動接点５の操作部材４への取付は、中央部に位置する一つの係止部４ｄが２個の第１，第２の接触部５ｇ、５ｈ間に位置し、両端側に位置する二つの係止部４ｄが第１，第２基部５ｂ、５ｃの下部に位置した状態で、可動接点５を本体部４ａ側に移動させると、中央部に位置する一つの係止部４ｄで、第１，第２の基部５ｂ、５ｃの上辺が押さえられ、また、両端側に位置する二つの係止部４ｄで、第１，第２の基部５ｂ、５ｃの両端の下辺が押さえられるようになって、取り付けられる。
【００３３】
即ち、可動接点５は、中央部の上辺が一つの係止部４ｄで押さえられ、両端の下辺が二つの係止部４ｄで押さえられて、その結果、可動接点５が複数個の係止部４ｄによって挟持されると共に、この複数個の係止部４ｄに掛け止めされた状態となっている。
【００３４】
また、可動接点５が操作部材４に取り付けられた際、第１，第２の基部５ｂ、５ｃが第１，第２の接触部５ｇ、５ｈよりも底壁１ａに近い位置に配置されると共に、２個の固定接点２は、第１，第２の基部５ｂ、５ｃ間に位置する開放部５ａを通って第１，第２の接触部５ｇ、５ｈに至るように延びている。
【００３５】
そして、操作部材４が上下方向に直線移動した際、可動接点５は、操作部材４に掛け止めされた状態で、操作部材４と共に直線移動し、その結果、第１，第２の接触部５ｇ、５ｈは、固定接点２の接点部２ａの延びる方向に移動して、２個の第１，第２の接触部５ｇ、５ｈのそれぞれが２個の固定接点２の接点部２ａに接離して、２個の固定接点２間をＯＮ状態、或いはＯＦＦ状態にする。
【００３６】
この実施例では、２個の固定接点２間がＯＦＦ時、２個の第１，第２の接触部５ｇ、５ｈのそれぞれが２個の固定接点２から離れた状態となっていて、ＯＮ時に、２個の第１，第２の接触部５ｇ、５ｈのそれぞれが２個の固定接点２に接触するようになっているが、２個の内の一方の第１，第２の接触部５ｇ、５ｈがＯＦＦ時とＯＮ時に、２個の内の一方の固定接点２と常時接触し、２個の内の他方の第１，第２の接触部５ｇ、５ｈが２個の内の他方の固定接点２に接離するようにして、ＯＦＦ状態とＯＮ状態を得るようにしても良い。
【００３７】
捻りコイルバネからなる付勢部材６は、巻回部６ａと、巻回部６ａの両端部に設けられた折り曲げ端部６ｂ、６ｃとを有し、この付勢部材６は、特に、図３に示すように、１つの側壁１ｂと操作部材４の収納部４ｅで囲まれた箇所に収納されて、箱形の絶縁基体１内に配置されている。
【００３８】
そして、この付勢部材６が取り付けられた際、一端部６ｂが底壁１ａの上面に弾接すると共に、他端部６ｃが操作部材４の下部に弾接して、付勢部材６によって、操作部材４が常時付勢されて、自動復帰するようになっている。
【００３９】
次に、このような一回路切換の構成を有する本発明のプッシュ型スイッチの動作を説明すると、操作部材４の未作動時においては、図４に示すように、２個の第１，第２の接触部５ｇ、５ｈが上方に位置して、２個の固定接点２間がＯＦＦの状態となっている。
【００４０】
この状態で、操作部４ａを付勢部材６に抗して押圧すると、図５に示すように、可動接点５は操作部材４と共に直線移動して、２個の第１，第２の接触部５ｇ、５ｈが固定接点２の延びる方向、即ち、下方に移動して、その結果、可動接点５の２個の第１，第２の接触部５ｇ、５ｈがそれぞれ２個の固定接点２に接触して、固定接点２間がＯＮ状態となる。
【００４１】
次に、図５の状態で、操作部４ａの押圧を解除すると、操作部材４は、付勢部材６によって、図４に示すように、押圧前の状態に自動的に復帰する。
その間において、可動接点５は操作部材４と共に直線移動して、２個の第１，第２の接触部５ｇ、５ｈが固定接点２の延びる方向、即ち、上方に移動して、その結果、可動接点５の２個の第１，第２の接触部５ｇ、５ｈがそれぞれ２個の固定接点２から離れて非接触状態となって、固定接点２間がＯＦＦ状態となる。
このようにしてプッシュ型スイッチの操作が行われる。
【００４２】
図６は本発明のプッシュ型スイッチの参考例を示し、この参考例を図６に基づいて説明すると、Ｕ字状に折り曲げられた可動接点５は、開放部５ａを設けて互いに対向して配置された帯状の第１，第２の基部５ｂ、５ｃと、互いに間隔を置いて配置され、第１，第２の基部５ｂ、５ｃの下部を連結する第１，第２の連結部５ｄ、５ｅと、この第１，第２の連結部５ｄ、５ｅ間に位置した状態で、互いに対向するように第１，第２の基部５ｂ、５ｃの上部から突出して設けられたクリップ状の少なくとも２個の第１，第２の接触部５ｇ、５ｈとを有する。
【００４３】
そして、２個の固定接点２は、第１，第２の基部５ｂ、５ｃ間に位置する開放部５ａを通って第１，第２の接触部５ｇ、５ｈに至るように延びている。
その他の構成は、前記実施例と同様であり、ここではその説明を省略する。
【００４４】
【発明の効果】
本発明のプッシュ型スイッチは、底壁を有する絶縁基体と、底壁の一面から上方に突出した状態で底壁に取り付けられた少なくとも２個の固定接点と、この固定接点に接離可能な可動接点と、この可動接点を操作するための直線移動可能な操作部材とを備え、可動接点は、バネ性ある金属板が折り曲げられて形成され、開放部を設けて互いに対向して配置された第１，第２の基部と、互いに間隔を置いて配置され、第１，第２の基部を連結する第１，第２の連結部と、この第１，第２の連結部間に位置した状態で、互いに対向するように第１，第２の基部から突出して設けられた少なくとも２個の第１，第２の接触部とを備え、固定接点は、第１，第２の基部間に位置する開放部と、第１，第２の接触部間に位置し、直線移動可能に保持された操作部材の操作によって、可動接点が固定接点の延びる方向に移動して、第１，第２の接触部を介して２個の固定接点間をＯＮ、ＯＦＦするようにした構成とした。
即ち、可動接点の第１，第２の接触部は、固定接点の延びる方向に移動するため、操作部材の移動方向に小型化できると共に、第１，第２の接触部が固定接点から上方に逃げるため、２個の固定接点間に接触部が逃げる従来に比して、耐電圧を大きくすることができる。
また、従来のスライド体が不要となって、部品点数が少なく、安価で、生産性が良く、且つ、小型のものが提供できる。
また、第１，第２の接触部で固定接点を挟持して接触するため、その接触が安定し、接触抵抗の少ないものが得られる。
また、可動接点の第１，第２の接触部は、第１，第２の接触部の延びる方向で、固定接点に接触して挟持するため、第１，第２の接触部の変形を少なくできる。
【００４５】
また、可動接点は、第１，第２の連結部がＵ字状に折り曲げられて形成されると共に、第１，第２の連結部間に設けられた孔内には、第１，第２の接触部が配置され、第１，第２の基部が第１，第２の接触部よりも底壁に近い位置に配置されて、固定接点が第１，第２の基部の開放部を通って第１，第２の接触部に至るようにしたため、両側に位置する連結部によって接触部が保護され、可動接点の組み立て時における接触部の変形を少なくできる。
【００４６】
また、操作部材には、可動接点を掛け止めするための係止部が設けられ、可動接点が係止部に掛け止めされて、操作部材に取り付けられたため、可動接点の取付が簡素化できて、組立性の良好なものが得られる。
また、このような構成によって、可動接点の取付が安定し、耐振性の良好な可動接点の取付ができる。
【００４７】
また、操作部材は、移動方向に対して直交する方向に延びる複数個の係止部を有し、基部の両辺部が複数個の係止部によって挟持されて、可動接点が操作部材に取り付けられたため、可動接点の取付が確実となり、一層、耐振性の良好な可動接点の取付ができる。
【００４８】
また、操作部材には、捻りコイルバネからなる付勢部材を収納するための収納部が設けられ、この収納部に収納された捻りコイルバネの一端側が底壁に弾接すると共に、捻りコイルバネの他端側が操作部材に弾接したため、付勢部材の取付が簡単で、生産性が良く、また、捻りコイルバネを使用しているため、操作部材の移動方向に小型化できる。
【００４９】
また、操作部材は操作部を有し、係止部と収納部とが操作部を挟んで対向する位置に配置されたため、スペースファクタが良く、操作部材の移動方向に小型化できる。
【図面の簡単な説明】
【図１】本発明のプッシュ型スイッチに係り、絶縁基体を切り欠きした状態を示す分解斜視図。
【図２】本発明のプッシュ型スイッチに係り、カバーの上面板を取り去った状態を示す平面図。
【図３】本発明のプッシュ型スイッチに係り、可動接点と付勢部材の取付状態を示す要部断面図。
【図４】本発明のプッシュ型スイッチに係り、操作部材の未操作状態を示す動作説明図。
【図５】本発明のプッシュ型スイッチに係り、操作部材を操作した状態を示す動作説明図。
【図6】  本発明のプッシュ型スイッチの参考例に係り、可動接点の斜視図。
【図７】従来のプッシュ型スイッチの要部断面図。
【図８】従来のプッシュ型スイッチの動作を示す断面図。
【図９】図８の９−９線における断面図。
【符号の説明】
１  絶縁基体
１ａ  底壁
１ｂ  側壁
１ｃ  レール部
１ｄ  掛け止め部
２  固定接点
２ａ  接点部
２ｂ  端子部
３  カバー
３ａ  上面板
３ｂ  側面板
３ｃ  孔
３ｄ  係止片
４  操作部材
４ａ  本体部
４ｂ  操作部
４ｃ  ガイド溝部
４ｄ  係止部
４ｅ  収納部
５  可動接点
５ａ  開放部
５ｂ  第１の基部
５ｃ  第２の基部
５ｄ  第１の連結部
５ｅ  第２の連結部
５ｆ  孔
５ｇ  第１の接触部
５ｈ  第２の接触部
６  付勢部材
６ａ  巻回部
６ｂ  端部
６ｃ  端部
【図１】
0004116308.tif 000002
【図２】
0004116308.tif 000003
【図３】
0004116308.tif 000004
【図４】
0004116308.tif 000005
【図５】
0004116308.tif 000006
【図６】
0004116308.tif 000007
【図７】
0004116308.tif 000008
【図８】
0004116308.tif 000009
【図９】
0004116308.tif 000010